(57)【特許請求の範囲】
【請求項１】
電解液を貯留する電解槽と、
前記電解槽内に設けられ、前記電解槽内の電解液中に浸されるものであって隙間を介して相互に対向する陽極板および陰極板と、
前記電解槽に設けられ、前記陽極板および前記陰極板相互間に電解液を上から下に向けて注入するための注入口と、
前記電解槽内に注入する電解液を貯留するタンクと、
前記タンク内の電解液を前記注入口から前記電解槽内に注入するための電解液通路と、
前記電解液通路を電解液が通過不能に閉鎖する閉鎖状態および電解液が通過可能に開放する開放状態相互間で切換えられる開閉弁を備え、
前記陽極板は、下から上に向けて前記陰極板から遠ざかるように鉛直方向に対して傾斜し、
前記陰極板は、下から上に向けて前記陽極板から遠ざかるように鉛直方向に対して傾斜し、
前記開閉弁は、前記タンク内から前記電解液通路および前記注入口のそれぞれを通して前記電解槽内に目標量の電界液を注入する場合に開放状態から閉鎖状態を経て再び開放状態にされることを特徴とする家電機器。
【発明の詳細な説明】
【技術分野】
【０００１】
実施例は家電機器に関する。
【背景技術】
【０００２】
家電機器には電解槽内の電解液中に陽極板および陰極板のそれぞれを浸した構成のものがある。これら陽極板および陰極板は隙間を介して相互に対向するものであり、電源回路から陽極板および陰極板のそれぞれに電源が供給された場合には電解槽内の電解液が電気分解されることで過酸化水素が発生する。
【先行技術文献】
【特許文献】
【０００３】
【特許文献１】特開平０５−２８７５８６号公報
【特許文献２】特開２０００−１８９９７１号公報
【発明の概要】
【発明が解決しようとする課題】
【０００４】
従来の家電機器の場合には陽極板のうち陰極板に対向する一つの面に酸素の気泡が多量に付着し、陰極板のうち陽極板に対向する一つの面に水素の気泡が多量に付着する。これら陽極板および陰極板のそれぞれの一つの面に気泡が付着した場合には陽極板および陰極板のそれぞれの電極面積が減少するので、過酸化水素の発生効率が低下する。
【課題を解決するための手段】
【０００５】
実施例の家電機器は、電解液を貯留する電解槽と、前記電解槽内に設けられ前記電解槽内の電解液中に浸されるものであって隙間を介して相互に対向する陽極板および陰極板と、前記電解槽に設けられ前記陽極板および前記陰極板相互間に電解液を上から下に向けて注入するための注入口と、前記電解槽内に注入する電解液を貯留するタンクと、前記タンク内の電解液を前記注入口から前記電解槽内に注入するための電解液通路と、前記電解液通路を電解液が通過不能に閉鎖する閉鎖状態および電解液が通過可能に開放する開放状態相互間で切換えられる開閉弁を備え、前記陽極板は下から上に向けて前記陰極板から遠ざかるように鉛直方向に対して傾斜し、前記陰極板は下から上に向けて前記陽極板から遠ざかるように鉛直方向に対して傾斜し、前記開閉弁は前記タンク内から前記電解液通路および前記注入口のそれぞれを通して前記電解槽内に目標量の電界液を注入する場合に開放状態から閉鎖状態を経て再び開放状態にされるところに特徴を有する。
【図面の簡単な説明】
【０００６】
【図１】実施例１を示す図（冷蔵庫の内部構成を示す断面図）
【図２】過酸化水素発生装置を示す図
【図３】ミスト発生装置を示す図
【図４】実施例２を示す図（洗濯機の内部構成を示す断面図）
【図５】実施例３を示す図（撹拌装置を示す図）
【図６】実施例４を示す図（ヒータを示す図）
【図７】実施例５を示す図（図２相当図）
【発明を実施するための形態】
【０００７】
【実施例１】
【０００８】
キャビネット１は、図１に示すように、使用者側である前面が開口するものである。このキャビネット１は外箱の内部に内箱を収納し、外箱および内箱相互間の隙間に断熱材を充填することから構成されたものであり、底壁と左側壁と右側壁と天壁と後壁を有している。このキャビネット１の内部には水平な上仕切壁２および水平な下仕切壁３が固定されている。上仕切壁２は合成樹脂製の板からなるものであり、下仕切壁３は合成樹脂製のケース内に固形状の断熱材を収納することから構成されている。
【０００９】
キャビネット１内には、図１に示すように、冷蔵室４と野菜室５と冷凍室６が形成されている。これら冷蔵室４と野菜室５と冷凍室６のそれぞれは使用者側である前面が開口するものであり、冷蔵室４は上仕切壁２の上方に形成され、野菜室５は上仕切壁２および下仕切壁３相互間に形成され、冷凍室６は下仕切壁３の下方に形成されている。キャビネット１にはＲドア７とＶドア８とＦドア９が装着されている。これらＲドア７〜Ｆドア９のそれぞれは使用者が閉鎖状態および開放状態相互間で操作可能なものであり、Ｒドア７は冷蔵室４の前方に配置され、Ｖドア８は野菜室５の前方に配置され、Ｆドア９は冷凍室６の前方に配置されている。
【００１０】
Ｖドア８は、図１に示すように、開放状態で野菜室５の前面を野菜室５内に対して食品を出し入れすることが可能に開放するものであり、Ｒドア７は開放状態で冷蔵室４の前面を冷蔵室４内に対して食品を出し入れすることが可能に開放する。この冷蔵室４は野菜室５に通じるものであり、冷蔵室４および野菜室５のそれぞれはＲドア７およびＶドア８の双方の閉鎖状態で気密状態に閉鎖される。Ｆドア９は開放状態で冷凍室６の前面を冷凍室６内に対して食品を出し入れすることが可能に開放するものであり、Ｆドア９の閉鎖状態では冷凍室６の前面が気密状態に閉鎖される。
【００１１】
キャビネット１内には、図１に示すように、ダクトカバー１０が固定されている。このダクトカバー１０は冷蔵室４および野菜室５の双方の後部に配置されたものであり、キャビネット１の後壁およびダクトカバー１０相互間にはＲ冷気通路１１が形成されている。このＲ冷気通路１１は上下方向へ指向するものであり、１つの入口１２と１つの最終出口１３と複数の中間出口１４を有している。入口１２はＲ冷気通路１１の下端部に形成されたものであり、野菜室５内に配置されている。最終出口１３はＲ冷気通路１１の上端部に形成されたものであり、冷蔵室４内に配置されている。複数の中間出口１４のそれぞれは入口１２および最終出口１３相互間に形成されたものであり、冷蔵室４内に配置されている。
【００１２】
Ｒ冷気通路１１の入口１２には、図１に示すように、Ｒファン装置１５が固定されている。このＲファン装置１５はＲファンモータの回転軸にＲファンを固定してなるものであり、Ｒドア７およびＶドア８のそれぞれの閉鎖状態でＲファンモータが運転された場合にはＲファンが回転することで冷蔵室４内および野菜室５内のそれぞれの空気がＲ冷気通路１１の入口１２に進入し、Ｒ冷気通路１１の入口１２に進入した空気がＲ冷気通路１１内を上昇する。この空気の一部は複数の中間出口１４のそれぞれから冷蔵室４内に放出され、複数の中間出口１４の全てを通過した空気は最終出口１３から冷蔵室４内に放出される。即ち、Ｒファン装置１５は空気を冷蔵室４内と野菜室５内とＲ冷気通路１１内で循環させるものである。
【００１３】
キャビネット１内には、図１に示すように、冷凍室６の後方に位置してＦ冷気通路１６が形成されている。このＦ冷気通路１６は入口１７および出口１８を有するものであり、入口１７および出口１８のそれぞれは冷凍室６内に配置されている。このＦ冷気通路１６内にはＦファン装置１９が固定されている。このＦファン装置１９はＦファンモータの回転軸にＦファンを固定してなるものであり、Ｆドア９の閉鎖状態でＦファンモータが運転された場合にはＦファンが回転することで冷凍室６内の空気がＦ冷気通路１６の入口１７に進入する。この空気はＦ冷気通路１６内を上昇し、Ｆ冷気通路１６の出口１８から冷凍室６内に放出される。即ち、Ｆファン装置１９は空気を冷凍室６内およびＦ冷気通路１６内で循環させるものである。
【００１４】
キャビネット１には、図１に示すように、機械室２０が形成されている。この機械室２０はキャビネット１の外部に通じるものであり、機械室２０内には冷凍サイクルのコンプレッサ２１が固定されている。このコンプレッサ２１はコンプモータを駆動源とするものであり、冷媒を吐出する吐出口および冷媒を吸込む吸込口を有している。このコンプレッサ２１の吐出口には冷凍サイクルのコンデンサを介してＲエバポレータ２２およびＦエバポレータ２３が接続されている。これらＲエバポレータ２２およびＦエバポレータ２３のそれぞれはコンプモータが運転されている場合にコンプレッサの吐出口からコンデンサを通して冷媒が供給されるものであり、Ｒエバポレータ２２を通過した冷媒およびＦエバポレータ２３を通過した冷媒のそれぞれはコンプレッサ２１の吸込口に戻る。
【００１５】
Ｒエバポレータ２２は、図１に示すように、Ｒ冷気通路１１内に固定されたものである。このＲエバポレータ２２はＲファン装置１５の運転状態でＲファン装置１５から空気が供給されるものであり、Ｒファン装置１５の運転状態でコンプレッサ２１からコンデンサを通して冷媒が供給されている場合には空気から熱を奪うことでＲ冷気通路１１の最終出口１３および中間出口１４のそれぞれから放出される空気を冷風化する。Ｆエバポレータ２３はＦ冷気通路１６内に固定されたものである。このＦエバポレータ２３はＦファン装置１９の運転状態でＦファン装置１９から空気が供給されるものであり、Ｆファン装置１９の運転状態でコンプレッサ２１からコンデンサを通して冷媒が供給されている場合には空気から熱を奪うことでＦ冷気通路１６の出口１８から放出される空気を冷風化する。
【００１６】
Ｒ冷気通路１１内には、図１に示すように、過酸化水素発生装置３０が固定されている。この過酸化水素発生装置３０は電解液に相当する水を電気分解することで過酸化水素を発生させるものであり、次のように構成されている。
【００１７】
Ｒ冷気通路１１内には、図２に示すように、Ｒエバポレータ２２の下方に位置して電解槽３１が固定されている。この電解槽３１は前板と後板と左側板と右側板と天板と底板を有する中空な四角箱状をなすものであり、電解槽３１の天板には注入口に相当する注水口３２が固定されている。この注水口３２は上面および下面のそれぞれが開口する縦長な筒状をなすものであり、電解槽３１内には注水口３２を通して水が注入される。この電解槽３１は水を貯留するものであり、電解槽３１の後板には溢水口３３が固定されている。この溢水口３３は前面および後面のそれぞれが開口する横長な筒状をなすものであり、電解槽３１内の水面が溢水口３３の内周面に到達した場合には電解槽３１内から溢水口３３を通して水が溢れる。即ち、溢水口３３は電解槽３１の満杯の水面の高さを決めるものである。
【００１８】
電解槽３１内には、図２に示すように、陽極板３４および陰極板３５が固定されている。これら陽極板３４および陰極板３５は隙間を介して前後方向に相互に対向するものであり、注水口３２は陽極板３４および陰極板３５相互間に上から下に向けて水を注入するように上下方向から見て陽極板３４および陰極板３５相互間に配置されている。これら陽極板３４および陰極板３５のそれぞれは電解槽３１内の満杯の水面に比べて低所に配置されたものであり、上下方向の長さ寸法が左右方向の長さ寸法に比べて大きな縦長な長方形状をなしている。これら陽極板３４および陰極板３５のそれぞれはチタンを材料に成形されたものであり、陽極板３４および陰極板３５のそれぞれには給電棒３６が接続されている。これら両給電棒３６のそれぞれは電解槽３１内に収納されたものであり、電解槽３１内の水に接触しないように電解槽３１内の満杯の水面に比べて高所に配置されている。
【００１９】
両給電棒３６のそれぞれは、図２に示すように、電源回路３７に接続されている。この電源回路３７は商用交流電源を高圧の直流電源に変換するものであり、陽極板３４は給電棒３６を介して電源回路３７のプラス端子に接続され、陰極板３５は給電棒３６を介して電源回路３７のマイナス端子に接続されている。これら陽極板３４および陰極板３５は電源回路３７から高電圧が印加されることで電解槽３１内の水を電気分解するものであり、過酸化水素は陰極板３５で発生する。この陰極板３５のうち陽極板３４の側の前面には副反応で水素の気泡が付着し、陽極板３４のうち陰極板３５の側の後面には酸素の気泡が付着する。
【００２０】
陽極板３４は、図２に示すように、下から上に向けて陰極板３５から遠ざかるように鉛直線ＶＬに対して傾斜するものであり、陰極板３５は下から上に向けて陽極板３４から遠ざかるように鉛直線ＶＬに対して傾斜するものであり、陽極板３４の後面および陰極板３５の前面相互間の距離は下から上に向けて大きく設定されている。従って、水が電気分解される場合の反応速度は陽極板３４の後面および陰極板３５の前面のそれぞれの最下端で最速となり、最下端から最上端に向うことに応じて遅くなる。
【００２１】
酸素の気泡の成長速度は陽極板３４の最下端から最上端に向うことに応じて遅くなるものであり、水の電気分解が始まってから一定時間が経過した時点での酸素の気泡の大きさは陽極板３４の最下端から最上端に向うことに応じて小さくなる。従って、陽極板３４の後面の最下端の最も大きな酸素の気泡が一定の大きさに成長した場合には陽極板３４の後面に沿って浮力で上昇する。この酸素の気泡は陽極板３４の後面の酸素の気泡を取込むことで成長しながら陽極板３４の後面に沿って上昇するものであり、陽極板３４の後面からは酸素の気泡が酸素の気泡を取込みながら上昇することで酸素の気泡が除去される。
【００２２】
水素の気泡の成長速度は陰極板３５の最下端から最上端に向うことに応じて遅くなるものであり、水の電気分解が始まってから一定時間が経過した時点での水素の気泡の大きさは陰極板３５の最下端から最上端に向うことに応じて小さくなる。従って、陰極板３５の前面の最下端の最も大きな水素の気泡が一定の大きさに成長した場合には陰極板３５の前面に沿って浮力で上昇する。この水素の気泡は陰極板３５の前面の水素の気泡を取込むことで成長しながら陰極板３５の前面に沿って上昇するものであり、陰極板３５の前面からは水素の気泡が水素の気泡を取込みながら上昇することで水素の気泡が除去される。これら陽極板３４の後面および陰極板３５の前面相互間の距離は最下端で１ｍｍ〜３ｍｍの範囲内に設定されており、陽極板３４の後面の最下端の酸素の気泡および陰極板３５の前面の最下端の水素の気泡は陽極板３４の後面および陰極板３５の前面相互間の距離で相互に接触することが防止されている。
【００２３】
陽極板３４および陰極板３５のそれぞれには、図２に示すように、撥水層３８が形成されている。陽極板３４の撥水層３８は陽極板３４の後面のうち下から（１／２）の高さの範囲を覆うものであり、陽極板３４の後面に撥水性の材料（ポリテトラフルオロエチレン／ＰＴＦＥ）を塗布することで形成されている。この陽極板３４の撥水層３８は陽極板３４の後面に水が付着することを抑えるものであり、酸素の気泡を陽極板３４の後面から離れ易くする。陰極板３５の撥水層３８は陰極板３５の前面のうち下から（１／２）の高さの範囲を覆うものであり、陰極板３５の前面に撥水性の材料（ポリテトラフルオロエチレン／ＰＴＦＥ）を塗布することで形成されている。この陰極板３５の撥水層３８は陰極板３５の前面に水が付着することを抑えるものであり、水素の気泡を陰極板３５の前面から離れ易くする。
【００２４】
Ｒ冷気通路１１内には、図２に示すように、給水タンク３９が固定されている。この給水タンク３９は電気分解用の水を貯留するものであり、電解槽３１の注水口３２に比べて高所に配置されている。この給水タンク３９の底板には給水ホース４０の上端部が接続されており、給水ホース４０の下端部は電解槽３１の注水口３２に接続されている。この給水タンク３９はタンクに相当し、給水ホース４０は電解液通路に相当する。
【００２５】
給水ホース４０には、図２に示すように、電磁弁４１が介在されている。この電磁弁４１は電磁ソレノイドを駆動源とするものであり、電磁ソレノイドの電気的なオン状態では電磁弁４１が開放状態となることで給水タンク３９内から給水ホース４０および注水口３２のそれぞれを通して陽極板３４および陰極板３５相互間に水が落下することで電解槽３１内に水が供給され、電磁ソレノイドの電気的なオフ状態では電磁弁４１が閉鎖状態となることで給水タンク３９内から電解槽３１内に水が供給されない。この電磁弁４１は開閉弁に相当する。
【００２６】
電磁弁４１は電解槽３１内に満杯の水面の水が貯留された状態で開閉操作されることで電解槽３１内に目標量Ｗ（ｃｃ）の水を供給するものであり、オフ状態から一定時間だけオン状態にされることで（Ｗ／２）の量の水を供給した後にオフ状態となり、オフ状態から再び一定時間だけオン状態にされることで残りの（Ｗ／２）の量の水を供給する。過酸化水素発生装置３０は以上のように構成されている。
【００２７】
Ｒ冷気通路１１内には、図３に示すように、ミスト発生装置５０が固定されている。このミスト発生装置５０は過酸化水素を含む水を霧化するものであり、次のように構成されている。Ｒ冷気通路１１内には上面が開口する水受け皿５１が固定されている。この水受け皿５１は溢水口３３の出口の下方に配置されたものであり、電解槽３１内に満杯の水面の高さの水が貯留されている状態で給水タンク３９内から電解槽３１内に水が供給された場合には電解槽３１内の水が溢水口３３から溢れることで水受け皿５１内に落下する。この水は過酸化水素を含むものであり、水受け皿５１内には過酸化水素を含む水が貯留される。
【００２８】
Ｒ冷気通路１１内には、図３に示すように、給水棒５２が固定されている。この給水棒５２は上下方向へ指向する円柱状の鉛直部および前後方向へ指向する円柱状の水平部を有するものであり、鉛直部の下端部が水受け皿５１内に挿入されている。この給水棒５２はウレタンスポンジからなるものであり、水受け皿５１内の過酸化水素を含む水は毛細管現象で給水棒５２に沿って吸い上げられることで給水棒５２の水平部の前端面に到達する。
【００２９】
給水棒５２には、図３に示すように、振動板５３が固定されている。この振動板５３はニッケル合金を材料とするものであり、給水棒５２の水平部の前端面に接触している。この振動板５３は給水棒５２の水平部に比べて直径寸法が大きな円形状をなすものであり、振動板５３には振動板５３を前後方向に貫通する複数のミスト放出孔が形成されている。
【００３０】
振動板５３には、図３に示すように、円環状の圧電素子５４が固定されている。この圧電素子５４は電源回路３７から電源が供給されることで２０ｋ〜１０ＭＨｚの周波数で振動するものであり、振動板５３は圧電素子５４が振動することに応じて振動し、振動板５３が振動した場合には給水棒５２の過酸化水素を含む水が複数のミスト放出孔のそれぞれからミストとなってＲ冷気通路１１内に放出される。このミストはＲ冷気通路１１内を上昇する風に乗って搬送される。このミストはＲ冷気通路１１の最終出口１３および中間出口１４のそれぞれから冷蔵室４内に供給されるものであり、冷蔵室４内にミストが供給された場合には冷蔵室４内および野菜室５内のそれぞれが過酸化水素の酸化力で徐菌および脱臭される。ミスト発生装置５０は以上のように構成されている。
【００３１】
上記実施例１によれば次の効果を奏する。
陽極板３４を下から上に向けて陰極板３５から遠ざかるように鉛直方向に対して傾斜させ、陰極板３５を下から上に向けて陽極板３４から遠ざかるように鉛直方向に対して傾斜させた。このため、陽極板３４の後面の酸素の気泡が陽極板３４の後面に沿って酸素の気泡を取込みながら上昇することで陽極板３４の後面から酸素の気泡が除去され、陰極板３５の前面の水素の気泡が陰極板３５の前面に沿って水素の気泡を取込みながら上昇することで陰極板３５の前面から水素の気泡が除去されるので、過酸化水素の発生効率が高まる。
【００３２】
陽極板３４の後面および陰極板３５の前面のそれぞれに撥水層３８を設けたので、陽極板３４の後面および陰極板３５の前面のそれぞれに電解槽３１内の水が付着し難くなる。このため、陽極板３４の後面から酸素の気泡が離れ易くなり、陰極板３５の前面から水素の気泡が離れ易くなるので、過酸化水素の発生効率が高まる。
【００３３】
撥水層３８を陽極板３４の後面および陰極板３５の前面のそれぞれのうち下方のみに設けたので、陽極板３４の下方では陽極板３４に沿って上昇する酸素の気泡のサイズが上方に比べて小さいものの酸素の気泡が陽極板３４の前面に付着し難くなり、陰極板３５の下方では陰極板３５に沿って上昇する水素の気泡のサイズが上方に比べて小さいものの水素の気泡が陰極板３５の前面に付着し難くなる。このため、陽極板３４の後面では酸素の気泡が酸素の気泡を取込みながら円滑に上昇し、陰極板３５の前面では水素の気泡が水素の気泡を取込みながら円滑に上昇するので、過酸化水素の発生効率が高まる。
【００３４】
給水タンク３９内から給水ホース４０および注水口３２のそれぞれを通して陽極板３４および陰極板３５相互間に水を注入したので、電解槽３１内の陽極板３４および陰極板３５相互間の水に注水口３２からの水が衝突することで陽極板３４および陰極板３５のそれぞれに衝撃力が作用する。しかも、陽極板３４および陰極板３５相互間に目標量の水を注入する場合に電磁弁４１を開放状態から閉鎖状態を経て再び開放状態にしたので、陽極板３４および陰極板３５のそれぞれに２回の衝撃力が作用する。このため、陽極板３４の後面の酸素の気泡が衝撃力で陽極板３４の後面から離れ、陰極板３５の前面の水素の気泡が衝撃力で陰極板３５の前面から離れる。
【実施例２】
【００３５】
外箱７１は、図４に示すように、前板と後板と左側板と右側板と天板と底板を有する中空なものであり、外箱７１の前板には貫通孔状の出入口７２が形成されている。この外箱７１の前板には蓋７３が装着されている。この蓋７３は閉鎖状態および開放状態相互間で使用者が操作することが可能なものであり、出入口７２は蓋７３の閉鎖状態で閉鎖され、蓋７３の開放状態で開放される。この外箱７１内には円筒状の水受槽７４が固定されている。この水受槽７４は衣類を洗濯するための水を受けるものであり、水受槽７４の前面は開放され、水受槽７４の後面は槽底板７５で閉鎖されている。
【００３６】
水受槽７４には、図４に示すように、排水管７６が固定されている。この排水管７６は入口および出口を有するものであり、排水管７６の入口は水受槽７４の最底部に接続され、排水管７６の出口は外箱７１の外部に接続されている。この排水管７６には排水弁７７が介在されている。この排水弁７７はモータを駆動源とするものであり、モータの回転量に応じて閉鎖状態および開放状態相互間で切換えられる。この排水弁７７は閉鎖状態となることで水受槽７４内から水が排出されることを不能にするものであり、開放状態となることで水受槽７４内から排水管７６を通して水が排出されることを可能にする。
【００３７】
外箱７１内には、図４に示すように、給水弁７８が固定されている。この給水弁７８は入口および出口を有するものであり、給水弁７８の入口は水道の蛇口に接続され、給水弁７８の出口は水受槽７４に接続されている。この給水弁７８は電磁ソレノイドを駆動源とするものであり、電磁ソレノイドの電気的なオフ状態で閉鎖状態となることで水道の蛇口から水受槽７４内に水道水が注入されることを不能にし、電磁ソレノイドの電気的なオン状態で開放状態となることで水道の蛇口から給水弁７８を通して水受槽７４内に水道水が注入されることを可能にする。即ち、水受槽７４は排水弁７７の閉鎖状態で給水弁７８が開放状態となることで水道水が貯留されるものであり、水受槽７４内の水道水は排水弁７７が開放状態となることで排水管７６から排出される。
【００３８】
水受槽７４の槽底板７５には、図４に示すように、洗濯モータ７９が固定されており、洗濯モータ７９の回転軸８０は水受槽７４内に挿入されている。この水受槽７４内には円筒状のドラム８１が収納されている。このドラム８１は洗濯モータ７９の回転軸８０に固定されたものであり、ドラム８１の後面は閉鎖され、ドラム８１の前面は開放されている。このドラム８１には複数の貫通孔８２が形成されており、水道水は水受槽７４内およびドラム８１内相互間で複数の貫通孔８２のそれぞれを通して流通可能にされている。このドラム８１は蓋７３の開放状態で外箱７１の出入口７２と水受槽７４の前面とドラム８１の前面のそれぞれを通して衣類が出し入れされるものであり、ドラム８１の内周面には複数のバッフル８３が固定されている。
【００３９】
外箱７１の底板には、図４に示すように、メインダクト８４が固定されている。このメインダクト８４は前後方向へ指向する筒状をなすものであり、メインダクト８４の後面は開口している。このメインダクト８４の前端部には筒状の入口８５が固定されており、メインダクト８４の入口８５は前ダクト８６を介して水受槽７４内に接続されている。このメインダクト７４の後端部にはファンケーシング８７が固定されている。このファンケーシング８７は貫通孔状の入口８８および筒状の出口８９を有するものであり、ファンケーシング８７の入口８８はメインダクト８４内に接続され、ファンケーシング８７の出口８９は後ダクト９０を介して水受槽７４内に接続されている。
【００４０】
ファンケーシング８７には、図４に示すように、ファンモータ９１が固定されている。このファンモータ９１の回転軸にはファンケーシング８７内に位置してファン９２が固定されており、ファンモータ９１の運転状態ではファン９２が回転することで水受槽７４内の空気が前ダクト８６とメインダクト８４とファンケーシング８７と後ダクト９０のそれぞれを順に通って水受槽７４内に戻される。即ち、前ダクト８６とメインダクト８４とファンケーシング８７と後ダクト９０は水受槽７４内の空気を水受槽７４の外部から水受槽７４内に戻す空気の循環経路を構成するものである。
【００４１】
外箱７１の底板には、図４に示すように、冷凍サイクルのコンプレッサ９３が固定されている。このコンプレッサ９３はコンプモータを駆動源とするものであり、冷媒を吐出する吐出口および冷媒を吸込む吸込口を有している。このコンプレッサ９３の吐出口および吸込口相互間にはコンデンサ９４とエバポレータ９５が接続されており、コンプモータの運転状態ではコンプレッサ９３の吐出口から吐出された冷媒がコンデンサ９４およびエバポレータ９５のそれぞれを順に通ってコンプレッサ９３の吸込口に戻る。
【００４２】
コンデンサ９４は、図４に示すように、メインダクト８４内に固定され、エバポレータ９５はメインダクト８４内にコンデンサ９４の前方に位置して固定されたものであり、ファンモータ９１およびコンプモータのそれぞれの運転状態では水受槽７４内の空気がエバポレータ９５に接触することで冷風化され、冷風がコンデンサ９４に接触することで温風化される。即ち、ドラム８１内に水分を含んだ未乾燥の衣類が投入されている場合にはエバポレータ９５が高温度で高湿度の空気を低温度で高湿度の空気に変換し、コンデンサ９４が低温度で高湿度の空気を高温度で低湿度の空気に変換し、水受槽７４内に低湿度で高温度の空気が注入されることでドラム８１内の衣類の乾燥が促進される。
【００４３】
外箱７１の前板には、図４に示すように、操作パネル９６が固定されており、操作パネル９６にはスタートスイッチが装着されている。このスタートスイッチは使用者が操作することが可能なものであり、スタートスイッチが操作された場合には標準コースが開始される。この標準コースは洗濯工程とすすぎ行程と脱水行程と乾燥工程を順に行うものである。洗濯工程は水受槽７４内に水を貯留した状態でドラム８１を回転操作することでドラム８１内の衣類を水で洗う工程であり、水受槽７４内に洗剤が投入された状態で行われる。すすぎ工程は水受槽７４内に水を貯留した状態でドラム８１を回転操作することでドラム８１内の衣類を水ですすぐ工程であり、脱水工程はドラム８１を回転操作することでドラム８１内の衣類から水分を遠心力で排出する工程であり、乾燥工程はファンモータ９１およびコンプモータのそれぞれを運転状態とすることでドラム８１内の衣類を温風で乾かす工程である。
【００４４】
外箱７１内には、図４に示すように、電解槽３１および給水タンク３９が固定されている。これら電解槽３１および給水タンク３９のそれぞれは空気の循環経路の外部に配置されたものであり、電解槽３１の溢水口３３は後ダクト９０内に挿入されている。この後ダクト９０内には水受け皿５１が固定されている。この水受け皿５１は溢水口３３から溢れた過酸化水素を含む水を受けるものであり、水受け皿５１内には給水棒５２が挿入され、給水棒５２には振動板５３および圧電素子５４が固定されている。この圧電素子５４は乾燥工程でオン状態にされることで振動板５３の複数のミスト放出孔のそれぞれから後ダクト９０内に過酸化水素を含むミストを放出するものであり、後ダクト９０内に放出されたミストは衣類を乾燥するための温風に乗って水受槽７４内からドラム８１内の衣類に供給されることでドラム８１内の衣類を除菌および脱臭する。
【実施例３】
【００４５】
電解槽３１内の底部には、図５に示すように、合成樹脂製の撹拌体１０１が収納されている。この撹拌体１０１は円板状をなすものであり、上下方向から見て陽極板３４および陰極板３５相互間に配置されている。この撹拌体１０１内には複数の撹拌磁石１０２が埋設されている。これら複数の撹拌磁石１０２のそれぞれは永久磁石からなるものであり、円周方向に等ピッチで配列されている。
【００４６】
電解槽２４の外部には、図５に示すように、操作機構１１０が固定されている。この操作機構１１０は撹拌体１０１を回転操作するものであり、次のように構成されている。電解槽２４の底板にはボックス１１１が固定されている。このボックス１１１は電解槽３１の外部に配置されたものであり、ボックス１１１内にはモータ１１２が固定されている。このモータ１１２は上下方向へ指向する回転軸１１３を有するものであり、回転軸１１３には回転板１１４が固定されている。この回転板１１４は水平な円形状をなすものであり、回転板１１４の上面には複数の駆動磁石１１５が円周方向に等ピッチで固定されている。これら複数の駆動磁石１１５のそれぞれは永久磁石からなるものであり、撹拌磁石１０２を電解槽３１の底板を介して磁力で吸引する。
【００４７】
複数の駆動磁石１１５のそれぞれはモータ１１２の運転状態で回転軸１１３を中心に円周方向へ移動するものであり、モータ１１２の運転状態では複数の撹拌磁石１０２のそれぞれが磁力で駆動磁石１１５に吸引されることで撹拌体１０１が回転する。この撹拌体１０１の回転状態では撹拌体１０１が電解槽３１内の水を撹拌することで陽極板３４および陰極板３５相互間に下から上へ向う水流を生成し、陽極板３４の後面の酸素の気泡が水流で陽極板３４の後面から離れ、陰極板３５の前面の水素の気泡が陰極板３５の前面から水流で離れる。
【００４８】
上記実施例３によれば次の効果を奏する。
電解槽３１内の撹拌体１０１を電解槽３１の外部から操作機構１１０で回転操作することで陽極板３４および陰極板３５相互間に下から上への水流を生成したので、陽極板３４の後面の酸素の気泡が水流で陽極板３４の後面から離れ、陰極板３５の前面の水素の気泡が陰極板３５の前面から水流で離れる。
【実施例４】
【００４９】
電解槽３１の底板には、図６に示すように、電解槽３１の外部に位置してヒータ１２１が固定されている。このヒータ１２１は上下方向から見て陽極板３４および陰極板３５相互間に配置されたものであり、ヒータ１２１の運転状態では電解槽３１内の水が陽極板３４および陰極板３５相互間で局部的に加熱されることで陽極板３４および陰極板３５相互間に下から上へ向う水流が生成され、陽極板３４の前方および陰極板３５の後方のそれぞれで上から下へ向う水流が生成され、陽極板３４の後面の酸素の気泡が下から上への水流で陽極板３４の後面から離れ、陰極板３５の前面の水素の気泡が下から上への水流で陰極板３５の前面から離れる。このヒータ１２１は加熱源に相当する。
【００５０】
上記実施例４によれば次の効果を奏する。
電解槽３１の外部にヒータ１２１を設け、電解槽３１内の水を陽極板３４および陰極板３５相互間で局部的に加熱することで陽極板３４および陰極板３５相互間に下から上への水流を生成したので、陽極板３４の後面の酸素の気泡が水流で陽極板３４の後面から離れ、陰極板３５の前面の水素の気泡が水流で陰極板３５の前面から離れる。しかも、電解槽３１内の水の温度が常温に比べて高くなるので、陽極板３４で発生した酸素を水中に溶解することもできる。
【実施例５】
【００５１】
電解槽３１の外部には、図７に示すように、エアポンプ１３１が固定されている。このエアポンプ１３１は空気を吸込む吸込口および空気を吐出する吐出口を有するものであり、エアポンプ１３１の吐出口には空気通路に相当するエアホース１３２の入口が接続されている。このエアホース１３２の出口は上に向けて指向するものであり、上下方向から見て陽極板３４および陰極板３５相互間に配置されている。このエアホース１３２の出口はエアポンプ１３１の運転状態で陽極板３４および陰極板３５相互間に下から上へ向けて空気の気泡を放出するものであり、エアポンプ１３１の運転状態では空気の気泡が陽極板３４および陰極板３５相互間の隙間を上昇する。この空気の気泡は陽極板３４の後面の酸素の気泡に接触することで酸素の気泡を取込んで上昇し、陰極板３５の前面の水素の気泡に接触することで水素の気泡を取込んで上昇するものであり、陽極板３４の後面の酸素の気泡は空気の気泡が接触することで陽極板３４の後面から離れ、陰極板３５の前面の水素の気泡は空気の気泡が接触することで陰極板３５の前面から離れる。
【００５２】
上記実施例５によれば次の効果を奏する。
エアホース１３２の出口を上下方向から見て陽極板３４および陰極板３５相互間に配置し、エアポンプ１３１からの空気を陽極板３４および陰極板３５相互間に放出したので、陽極板３４の後面の酸素の気泡に空気の気泡が接触することで陽極板３４の後面から酸素の気泡が離れ、陰極板３５の前面の水素の気泡に空気の気泡が接触することで陰極板３５の前面から水素の気泡が離れる。しかも、空気中の酸素を電解槽３１内の水中に取込むこともできる。
【００５３】
上記実施例１〜５のそれぞれにおいては、陽極板３４の後面の全体および陰極板３５の前面の全体のそれぞれに撥水層３８を形成しても良い。
上記実施例１〜５のそれぞれにおいては、陽極板３４の後面に撥水層３８に換えて別の撥水層を設けることで酸素の気泡を陽極板３４の後面から離れ易くし、陰極板３５の前面に撥水層３８に換えて別の撥水層を設けることで水素の気泡を陰極板３５の前面から離れ易くしても良い。この撥水槽は陽極板３４の後面または陰極板３５の前面にレーザービームを照射することで凹凸を設けたものであり、陽極板３４の後面および陰極板３５の前面のそれぞれに対する水滴の接触角を凹凸がない場合に比べて高める。
【００５４】
上記実施例１〜５のそれぞれにおいては、陽極板３４の後面および陰極板３５の前面の一方に撥水層３８を形成しても良い。
上記実施例１〜５のそれぞれにおいては、カーボンまたはプラチナを材料とする陽極板３４を用いても良い。
【００５５】
上記実施例１〜５のそれぞれにおいては、ＳＵＳまたはＴｉ＋Ｐｔ薄膜またはカーボンを材料とする陰極板３５を用いても良い。
上記実施例１〜５のそれぞれにおいては、陽極板３４および陰極板３５のそれぞれを鉛直線ＶＬに対して平行に配置しても良い。
【００５６】
上記実施例１〜５のそれぞれにおいては、ミスト発生装置５０として過酸化水素を含む水を静電霧化する静電霧化装置を用いても良い。
上記実施例１〜５のそれぞれにおいては、本発明を冷蔵庫および洗濯機のいずれとも異なるクリーナー等の家電機器に適用しても良い。
【００５７】
以上、本発明のいくつかの実施例を説明したが、これらの実施例は例として提示したものであり、発明の範囲を限定することは意図していない。これら新規な実施例はその他様々な例で実施されることが可能であり、発明の要旨を逸脱しない範囲で種々の省略、置換、変更を行うことができる。これら実施例やその変形は発明の範囲や要旨に含まれると共に特許請求の範囲に記載された発明とその均等の範囲に含まれる。
【符号の説明】
【００５８】
３１は電解槽、３２は注水口（注入口）、３４は陽極板、３５は陰極板、３７は電源回路、３８は撥水層、３９は給水タンク（タンク）、４０は給水ホース（電解液通路）、４１は電磁弁（開閉弁）、１０１は撹拌体、１０２は撹拌磁石（永久磁石）、１１０は操作機構、１１２はモータ、１１５は駆動磁石（永久磁石）、１２１はヒータ（加熱源）、１３１はエアポンプ、１３２は空気通路である。
【図１】
0005904727.tif 000002
【図２】
0005904727.tif 000003
【図３】
0005904727.tif 000004
【図４】
0005904727.tif 000005
【図５】
0005904727.tif 000006
【図６】
0005904727.tif 000007
【図７】
0005904727.tif 000008